【手続補正書】
【提出日】平成17年9月15日(2005.9.15)
【手続補正１】
【補正対象書類名】明細書
【補正対象項目名】発明の名称
【補正方法】変更
【補正の内容】
【発明の名称】画像形成装置及びその制御方法
【手続補正２】
【補正対象書類名】明細書
【補正対象項目名】特許請求の範囲
【補正方法】変更
【補正の内容】
【特許請求の範囲】
【請求項１】  所望の用紙に画像を形成する装置であって、
像形成体を有して当該像形成体にトナー画像を形成する画像形成手段と、
前記像形成体に形成されたトナー画像を検知する検知手段と、
前記像形成体の回転速度を制御する制御手段とを備え、
前記像形成体の回転方向を縦方向とし、当該像形成体に形成されるトナー画像の縦方向の倍率を調整する値を第１の縦倍調整値とし、前記用紙に形成される画像の縦方向の倍率を調整する値を第２の縦倍調整値としたとき、
前記制御手段は、
前記像形成体にトナー画像を形成し、前記検知手段により前記トナー画像を検知した検知結果に基づいて前記画像形成手段を補正する第１のモードが選択された場合は、
前記第２の縦倍調整値は用いずに前記第１の縦倍調整値に基づいた回転速度で前記像形成体の回転速度を制御し、
前記画像形成手段を動作させて用紙に画像を形成する第２のモードが選択された場合は、前記第１及び第２の縦倍調整値に基づいた回転速度で前記像形成体の回転速度を制御することを特徴とする画像形成装置。
【請求項２】  前記第１のモード又は前記第２のモードを選択する選択手段を備えることを特徴とする請求項１に記載の画像形成装置。
【請求項３】  前記選択手段は、
前記画像形成手段の使用累積時間又は／及び画像形成回数に基づいて前記第１のモードを選択することを特徴とする請求項１に記載の画像形成装置。
【請求項４】  前記画像形成手段の使用時間又は／及び画像形成回数が制御目標値に到達しない場合であって、前記選択手段によって第２のモードが選択される場合に、
前記制御手段は、
前記画像形成手段の使用時間又は／及び画像形成回数が制御目標値に到達したかを監視し、
前記画像形成手段の使用時間又は／及び画像形成回数が制御目標値を越えた場合には、前記第１のモードを選択するように前記選択手段を制御することを特徴とする請求項１に記載の画像形成装置。
【請求項５】  前記像形成体に形成されたトナー画像の位置ずれを検出する第１の検出手段と、
前記第１の検出手段の配設位置から縦方向に所定の距離だけずれた位置に配設されると共に、前記像形成体に形成されたトナー画像の濃度を検出する第２の検出手段とを備え、
前記第１のモードの実行時に、
前記制御手段は、
前記第１の検出手段によってトナー画像を検出したタイミングに基づいて前記第２の検出手段におけるトナー画像の検出タイミングを演算することを特徴とする請求項１に記載の画像形成装置。
【請求項６】  前記像形成体に形成された時刻のトナー画像の形成位置から前記第１の検出手段の配設位置に至る距離をＡとし、
前記像形成体の回転速度をＬＳとし、
前記第１の検出手段におけるトナー画像の検出タイミングをＴａとしたとき、
Ｔａ＝Ａ／ＬＳ
であり、
前記第１の検出手段の配設位置と第２の検出手段の配設位置との離隔距離をＢとし、
前記第２の検出手段におけるトナー画像の検出タイミングをＴｂとしたとき、
Ｔｂ＝Ｔａ＋Ｂ／ＬＳ
を演算することを特徴とする請求項５に記載の画像形成装置。
【請求項７】  像形成体を有して当該像形成体にトナー画像を形成する画像形成手段により前記像形成体に形成されたトナー画像を所望の用紙に形成する画像形成装置の制御方法であって、
前記像形成体の回転方向を縦方向とし、当該像形成体に形成されるトナー画像の縦方向の倍率を調整する値を第１の縦倍調整値とし、前記用紙に形成される画像の縦方向の倍率を調整する値を第２の縦倍調整値としたとき、
前記像形成体にトナー画像を形成し、前記トナー画像を検知した検知結果に基づいて前記画像形成手段を補正する第１のモードが選択された場合は、前記第２の縦倍調整値は用いずに前記第１の縦倍調整値に基づいた回転速度で前記像形成体の回転速度を制御し、
前記画像形成手段を動作させて用紙に画像を形成する第２のモードが選択された場合は、前記第１及び第２の縦倍調整値に基づいた回転速度で前記像形成体の回転速度を制御することを特徴とする画像形成装置の制御方法。
【手続補正３】
【補正対象書類名】明細書
【補正対象項目名】０００１
【補正方法】変更
【補正の内容】
【０００１】
【発明の属する技術分野】
本発明は、カラー画像情報に基づくカラー画像を形成して出力するカラーディジタル複写機や複合機等に適用して好適な画像形成装置及びその制御方法に関するものである。
【手続補正４】
【補正対象書類名】明細書
【補正対象項目名】００２１
【補正方法】変更
【補正の内容】
【００２１】
そこで、この発明はこのような従来例に係る課題を解決したものであって、補正動作モード時には、トナー画像の位置補正で使用されるセンサ系の読み込みタイミングを精度良く補正できるようにすると共に、プリンタ動作モード時には、画像の縦方向の倍率を高精度に補正できるようにした画像形成装置及びその制御方法を提供することを目的とする。
【手続補正５】
【補正対象書類名】明細書
【補正対象項目名】００２２
【補正方法】変更
【補正の内容】
【００２２】
【課題を解決するための手段】
上述した課題を解決するために、本発明に係る画像形成装置は、所望の用紙に画像を形成する装置であって、像形成体を有して当該像形成体にトナー画像を形成する画像形成手段と、像形成体に形成されたトナー画像を検知する検知手段と、像形成体の回転速度を制御する制御手段とを備え、像形成体の回転方向を縦方向とし、当該像形成体に形成されるトナー画像の縦方向の倍率を調整する値を第１の縦倍調整値とし、用紙に形成される画像の縦方向の倍率を調整する値を第２の縦倍調整値としたとき、制御手段は、像形成体にトナー画像を形成し、検知手段によりトナー画像を検知した検知結果に基づいて画像形成手段を補正する第１のモードが選択された場合は、第２の縦倍調整値は用いずに第１の縦倍調整値に基づいた回転速度で像形成体の回転速度を制御し、画像形成手段を動作させて用紙に画像を形成する第２のモードが選択された場合は、第１及び第２の縦倍調整値に基づいた回転速度で像形成体の回転速度を制御することを特徴とするものである。
【手続補正６】
【補正対象書類名】明細書
【補正対象項目名】００２３
【補正方法】変更
【補正の内容】
【００２３】
本発明に係る画像形成装置によれば、所望の用紙に画像を形成する場合に、像形成体を有する画像形成手段では、当該像形成体にトナー画像が形成される。制御手段では像形成体に形成されたトナー画像が検知手段によって検知されると、像形成体の回転速度を制御する。これを前提にして、例えば、機械を停止することなく選択手段によって、画像形成手段の使用累積時間又は／及び画像形成回数に基づいて第１のモードが選択されると、制御手段では、像形成体にトナー画像を形成して画像形成系を補正するために第１の縦倍調整値に基づいた回転速度で当該像形成体の回転速度を制御する。
【手続補正７】
【補正対象書類名】明細書
【補正対象項目名】００２５
【補正方法】変更
【補正の内容】
【００２５】
この第１のモードが終了して選択手段によって、第２のモードが選択された場合には、画像形成系を動作させて用紙に画像を形成するために、制御手段は第１及び第２の縦倍調整値に基づいた回転速度で像形成体の回転速度を制御する。
【手続補正８】
【補正対象書類名】明細書
【補正対象項目名】００２９
【補正方法】変更
【補正の内容】
【００２９】
本発明に係る画像形成装置の制御方法は、像形成体を有して当該像形成体にトナー画像を形成する画像形成手段により像形成体に形成されたトナー画像を所望の用紙に形成する画像形成装置の制御方法であって、像形成体の回転方向を縦方向とし、当該像形成体に形成されるトナー画像の縦方向の倍率を調整する値を第１の縦倍調整値とし、用紙に形成される画像の縦方向の倍率を調整する値を第２の縦倍調整値としたとき、像形成体にトナー画像を形成し、トナー画像を検知した検知結果に基づいて画像形成手段を補正する第１のモードが選択された場合は、第２の縦倍調整値は用いずに第１の縦倍調整値に基づいた回転速度で像形成体の回転速度を制御し、画像形成手段を動作させて用紙に画像を形成する第２のモードが選択された場合は、第１及び第２の縦倍調整値に基づいた回転速度で像形成体の回転速度を制御することを特徴とするものである。
【手続補正９】
【補正対象書類名】明細書
【補正対象項目名】００３０
【補正方法】変更
【補正の内容】
【００３０】
本発明に係る画像形成装置の制御方法によれば、所望の用紙に画像を形成する場合に、第１のモードでは、第２のモード時のような用紙に形成される画像の縦方向の倍率を調整する値に依存しない第１の縦倍調整値のみに基づいて像形成体を回転させることができるので、トナー画像の位置補正で使用される第１及び第２の検出手段等のセンサ系の読み込みタイミングを精度良く補正できるようになる。
【手続補正１０】
【補正対象書類名】明細書
【補正対象項目名】００３２
【補正方法】変更
【補正の内容】
【００３２】
【発明の実施の形態】
続いて、この発明に係る画像形成装置及びその制御方法の一実施の形態について、図面を参照しながら説明をする。
図１は本発明に係る実施形態としての画像形成装置を応用したカラーディジタル複写機１００の構成例を示す概念図である。
この実施形態では、所望の用紙に画像を形成する場合に、像形成体に形成されたトナー画像を検知して当該像形成体の回転速度を制御する制御手段を備え、像形成体に第１のモード（以下補正動作モードという）が選択された場合は、第１の縦倍調整値に基づいて当該像形成体の回転速度のフィードバック制御を実行し、第２のモード（以下プリント動作モードという）が選択された場合は、第１及び第２の縦倍調整値に基づいて像形成体の回転速度のフィードバック制御を実行する。これによって、第１のモード時には、トナー画像の位置補正で使用されるセンサ系の読み込みタイミングを精度良く補正できるようにすると共に、第２のモード時には、画像の縦方向の倍率を高精度に補正できるようにしたものである。
【手続補正１１】
【補正対象書類名】明細書
【補正対象項目名】０１０７
【補正方法】変更
【補正の内容】
【０１０７】
【発明の効果】
以上説明したように、本発明に係る画像形成装置及びその制御方法によれば、所望の用紙に画像を形成する場合に、像形成体に形成されたトナー画像を検知して当該像形成体の回転速度を制御する制御手段を備え、この制御手段は補正動作モード（第１のモード）が選択された場合は、第１の縦倍調整値に基づいた回転速度で像形成体の回転速度を制御し、プリント動作モード（第２のモード）が選択された場合は、第１及び第２の縦倍調整値に基づいた回転速度で像形成体の回転速度を制御するものである。